(57)【要約】      （修正有）【課題】クラムシェルタイプのプリンタ装置を用途が異なる場合においても、低コストで提供する。【解決手段】記録紙に印字を行うプリントヘッドを有するプリンタ本体部と、プリンタ本体部に開閉可能な状態で接続されている蓋部２２０とを有し、プリンタ本体部には固定刃を有する固定刃ユニットが設置されており、蓋部には、可動刃を有する可動刃ユニット６０が設置されており、蓋部を閉じることにより、固定刃と可動刃とにより記録紙を切断するためのカッターが形成されるものであって、プリンタ本体部及び蓋部の一部または全部は樹脂材料により形成され、プリンタ本体部は金属板により形成された底面カバー２１１と背面カバー２１２により覆うことができ、プリンタ本体部を底面カバー及び背面カバーにより覆う際には蓋部をプリンタ本体部より取外し、金属板により形成された金属蓋部を背面カバーに開閉可能な状態で接続することを特徴とする。【選択図】図１９
2015163451.tif 000002
【特許請求の範囲】
【請求項１】
記録紙に印字を行うプリントヘッドを有するプリンタ本体部と、
前記プリンタ本体部に開閉可能な状態で接続されている蓋部と、
を有し、
前記プリンタ本体部には、固定刃を有する固定刃ユニットが設置されており、
前記蓋部には、可動刃を有する可動刃ユニットが設置されており、
前記蓋部を閉じることにより、前記固定刃と前記可動刃とにより、前記記録紙を切断するためのカッターが形成されるものであって、
前記プリンタ本体部及び前記蓋部の一部または全部は樹脂材料により形成されており、
前記プリンタ本体部は、金属板により形成された底面カバーと背面カバーにより覆うことができるものであって、
前記プリンタ本体部を前記底面カバー及び前記背面カバーにより覆う際には、前記蓋部を前記プリンタ本体部より取り外し、金属板により形成された金属蓋部を前記背面カバーに開閉可能な状態で接続することを特徴とするプリンタ装置。
【請求項２】
記録紙に印字を行うプリントヘッドを有するプリンタ本体部と、
前記プリンタ本体部に開閉可能な状態で接続されている蓋部と、
を有し、
前記プリンタ本体部には、固定刃を有する固定刃ユニットが設置されており、
前記蓋部には、可動刃を有する可動刃ユニットが設置されており、
前記蓋部を閉じることにより、前記固定刃と前記可動刃とにより、前記記録紙を切断するためのカッターが形成されるものであって、
前記プリンタ本体部には、ダンパーバネが設置されており、
前記ダンパーバネは、コイルバネ部とコイルバネ部の一方の端部に延びる直線部と、他方の端部に形成されたフック部とを有し、
前記ダンパーバネは、前記一方の端部と前記他方の端部が開く方向に復元力が働くものであって、
前記直線部はフック部に引っかけられており、
前記蓋部を開くことにより、前記蓋部の一部によりプリンタ本体部に設けられたスライド部が押され、前記スライド部により前記ダンパーバネにおける前記直線部が押され、前記蓋部を閉じる方向に、前記ダンパーバネの復元力が働くものであることを特徴とするプリンタ装置。
【請求項３】
前記プリンタ本体部及び前記蓋部の一部または全部は樹脂材料により形成されており、
前記プリンタ本体部は、金属板により形成された底面カバーと背面カバーにより覆うことができるものであって、
前記プリンタ本体部を前記底面カバー及び前記背面カバーにより覆う際には、前記蓋部を前記プリンタ本体部より取り外し、金属板により形成された金属蓋部を前記背面カバーに開閉可能な状態で接続するものであって、
前記金属蓋部には、金属蓋部用ダンパーバネが設置されており、
前記金属蓋部を開くことにより、前記金属蓋部の一部により金属蓋部用ダンパーバネが押された際には、前記金属蓋部用ダンパーバネは、前記金属蓋部を閉じる方向に復元力が働くものであることを特徴とする請求項２に記載のプリンタ装置。
【請求項４】
前記固定刃ユニットには、固定刃、搬送用モータ、可動刃用モータ、搬送用ギアボックス、可動刃用ギアボックスを有しており、
前記可動刃ユニットには、プラテンローラが設置されており、
前記蓋部を閉じることにより、前記固定刃と前記可動刃とにより、前記記録紙を切断するためのカッターが形成され、前記搬送用モータにより、前記搬送用ギアボックスに設けられた搬送用ギアを介し、前記プラテンローラを回転させて前記記録紙を搬送し、前記可動刃用モータにより、前記可動刃用ギアボックスを介し、前記可動刃を駆動するものであることを特徴とする請求項１から３のいずれかにプリンタ装置。
【請求項５】
前記固定刃ユニットには、固定刃、搬送用モータ、可動刃用モータ、搬送用ギアボックス、可動刃用ギアボックスを有しており、
前記可動刃ユニットには、プラテンローラが設置されており、
前記金属蓋部が接続されている場合には、前記金属蓋部を閉じることにより、前記固定刃と前記可動刃とにより、前記記録紙を切断するためのカッターが形成され、前記搬送用モータにより、前記搬送用ギアボックスに設けられた搬送用ギアを介し、前記プラテンローラを回転させて前記記録紙を搬送し、前記可動刃用モータにより、前記可動刃用ギアボックスを介し、前記可動刃を駆動するものであることを特徴とする請求項１または３にプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。レシート等を発行するプリンタは、記録紙となる感熱紙を搬送しながらサーマルヘッド等により記録紙に印字等を行ない、所定の長さまで記録紙を搬送した後、カッターにより所定の長さで記録紙が切断される。このようなカッターは、固定刃と可動刃とを有しており、可動刃が固定刃が設けられている側に動くことにより、固定刃と可動刃との間に挟まれた記録紙が切断される。
【０００３】
このようなプリンタ装置として、クラムシェルタイプのプリンタ装置がある。クラムシェルタイプのプリンタ装置とは、プリンタ本体部とプリンタ本体部に開閉可能な状態で接続されている蓋部とを有しており、プリンタ本体部の内部にロール状に巻かれた記録紙を設置した後、蓋部を閉じることにより、記録紙に印字することが可能な状態となる。クラムシェルタイプのプリンタ装置においても、記録紙を切断するためのカッターが取り付けられているが、記録紙は固定刃と可動刃との間に挟まれて切断されるため、固定刃または可動刃のいずれか一方が、プリンタ本体部に設置され、他方が蓋部に設置されている。従って、クラムシェルタイプのプリンタ装置においては、蓋部を閉じることにより、固定刃と可動刃とがカッターとして機能する所定の位置に設置されるため、固定刃と可動刃とにより、記録紙の切断が可能な状態となる。
【先行技術文献】
【特許文献】
【０００４】
【特許文献１】特開２０１０−１７３１２９号公報
【特許文献２】特開２０１０−２１４６５８号公報
【発明の概要】
【発明が解決しようとする課題】
【０００５】
ところで、クラムシェルタイプのプリンタ装置は、様々な用途に用いられるため、設置形態も多様である。例えば、別の電子機器装置の一部に組み込まれる場合には、別の電子機器装置の壁面の一部に穴を開け、その穴の内部に設置する場合がある。この場合、プリンタ装置のメカ等がむき出しの状態で穴の内部に設置される。また、プリンタ装置を単体として使用する場合には、金属等により形成された筐体により、プリンタ装置のメカ等を覆うことが求められる。従って、同様の機能を有するプリンタ装置を異なる用途に対応して設計した場合、設計や製造におけるコストがかかりプリンタ装置が高価なものとなってしまう。
【０００６】
このため、同じ機能を有するクラムシェルタイプのプリンタ装置において、用途が異なる場合においても、低コストで提供することのできるプリンタ装置が求められている。
【課題を解決するための手段】
【０００７】
本実施の形態の一観点によれば、記録紙に印字を行うプリントヘッドを有するプリンタ本体部と、前記プリンタ本体部に開閉可能な状態で接続されている蓋部と、を有し、前記プリンタ本体部には、固定刃を有する固定刃ユニットが設置されており、前記蓋部には、可動刃を有する可動刃ユニットが設置されており、前記蓋部を閉じることにより、前記固定刃と前記可動刃とにより、前記記録紙を切断するためのカッターが形成されるものであって、前記プリンタ本体部及び前記蓋部の一部または全部は樹脂材料により形成されており、前記プリンタ本体部は、金属板により形成された底面カバーと背面カバーにより覆うことができるものであって、前記プリンタ本体部を前記底面カバー及び前記背面カバーにより覆う際には、前記蓋部を前記プリンタ本体部より取り外し、金属板により形成された金属蓋部を前記背面カバーに開閉可能な状態で接続することを特徴とする。
【発明の効果】
【０００８】
本発明によれば、同じ機能を有するクラムシェルタイプのプリンタ装置において、用途が異なる場合においても、低コストで提供することができる。
【図面の簡単な説明】
【０００９】
【図１】本実施の形態におけるプリンタ装置の蓋部が開いている状態の斜視図（１）
【図２】本実施の形態におけるプリンタ装置の蓋部が開いている状態の斜視図（２）
【図３】本実施の形態におけるプリンタ装置の蓋部が開いている状態の斜視図（３）
【図４】本実施の形態におけるプリンタ装置の蓋部が閉じている状態の斜視図
【図５】本実施の形態におけるプリンタ装置の固定刃ユニットの説明図
【図６】本実施の形態におけるプリンタ装置の可動刃ユニットの説明図（１）
【図７】本実施の形態におけるプリンタ装置の可動刃ユニットの説明図（２）
【図８】本実施の形態におけるプリンタ装置の固定刃ユニットと可動刃ユニットが接続されている状態の説明図
【図９】蓋部に可動刃ユニットが設置されている状態の斜視図（１）
【図１０】蓋部に可動刃ユニットが設置されている状態の斜視図（２）
【図１１】プリンタ装置にダンパーバネが設置されている状態の説明図（１）
【図１２】プリンタ装置にダンパーバネが設置されている状態の説明図（２）
【図１３】ダンパーバネの説明図（１）
【図１４】プリンタ装置にダンパーバネが設置されている状態の説明図（３）
【図１５】プリンタ装置にダンパーバネが設置されている状態の説明図（４）
【図１６】ダンパーバネの説明図（２）
【図１７】金属蓋部が設置されている本実施の形態におけるプリンタ装置の斜視図（１）
【図１８】金属蓋部が設置されている本実施の形態におけるプリンタ装置の斜視図（２）
【図１９】金属蓋部が設置されている本実施の形態におけるプリンタ装置の斜視図（３）
【図２０】金属蓋部が設置されている本実施の形態におけるプリンタ装置の斜視図（４）
【図２１】金属蓋部用ダンパーバネの説明図（１）
【図２２】金属蓋部が設置されている本実施の形態におけるプリンタ装置の斜視図（５）
【図２３】金属蓋部用ダンパーバネの説明図（２）
【発明を実施するための形態】
【００１０】
本発明を実施するための形態について、以下に説明する。尚、同じ部材等については、同一の符号を付して説明を省略する。
【００１１】
（プリンタ装置）
本実施の形態におけるプリンタ装置について、図１から図４に基づき説明する。尚、図１から図３は、本実施の形態におけるプリンタ装置の蓋部が開いている状態を各々異なる方向から見た斜視図であり、図４は、本実施の形態におけるプリンタ装置の蓋部が閉じている状態の斜視図である。
【００１２】
本実施の形態におけるプリンタ装置は、クラムシェルタイプのプリンタ装置であり、プリンタ本体部１０と蓋部２０とを有している。プリンタ本体部１０には、ロール状に巻かれた記録紙を設置するための空間を有する記録紙ホルダー１１が形成されており、蓋部２０は、蓋部２０の一方の端部２０ａにおいて、プリンタ本体部１０に開閉可能な状態で接続されている。即ち、蓋部２０は、蓋部２０の一方の端部２０ａの近傍に設けられている回転軸においてプリンタ本体部１０に接続されており、この回転軸を中心に、蓋部２０を回転させることにより、蓋部２０を開閉することができる。本実施の形態において、プリンタ装置を使用する際には、プリンタ本体部１０における記録紙ホルダー１１の内側に、ロール状に巻かれた不図示の記録紙を設置し、図４に示されるように、蓋部２０を閉じる。これにより、本実施の形態におけるプリンタ装置において、記録紙に印字が可能な状態となる。
【００１３】
本実施の形態におけるプリンタ装置においては、プリンタ本体部１０にはプリントヘッドとなるサーマルヘッド３０が設置されており、蓋部２０にはプラテンローラ４０が設置されている。プリンタ本体部１０には固定刃５１が設置されており、蓋部２０には可動刃６１が設置されている。プリンタ本体部１０には、不図示の記録紙を搬送するためプラテンローラ４０を回転させるための搬送用モータ５２及び可動刃６１を駆動するための可動刃用モータ５３が設置されている。尚、プラテンローラ４０及び可動刃６１は、蓋部２０の他方の端部２０ｂの近傍に設置されている。
【００１４】
本実施の形態におけるプリンタ装置においては、蓋部２０を閉じることにより、サーマルヘッド３０とプラテンローラ４０との間に記録紙が挟まれ、固定刃５１と可動刃６１との間に記録紙が挟まれる。このようにして、本実施の形態におけるプリンタ装置においては、蓋部２０を閉じることにより、固定刃５１と可動刃６１とが所定の位置に配置されてカッターが形成され、記録紙への印字及び切断が可能な状態となる。尚、プリンタ本体部１０の外側には、本実施の形態のプリンタ装置を制御するための制御基板１２が設置されている。
【００１５】
（固定刃ユニット）
本実施の形態におけるプリンタ装置においては、プリンタ本体部１０には、図５に示される固定刃５１を有する固定刃ユニット５０が設置されている。尚、図５（ａ）は、固定刃ユニット５０の斜視図であり、図５（ｂ）は、側面図である。固定刃ユニット５０には、固定刃５１の他に、搬送用モータ５２、可動刃用モータ５３、搬送用ギアボックス５４及びの可動刃用ギアボックス５５が設けられている。搬送用ギアボックス５４の内部には不図示の複数の搬送用ギアが設けられており、搬送用ギアボックス５４はこれらの複数の搬送用ギアを覆っている。また、可動刃用ギアボックス５５の内部には不図示の複数の可動刃用ギアが設けられており、可動刃用ギアボックス５５はこれらの複数の可動刃用ギアを覆っている。
【００１６】
本実施の形態においては、搬送用モータ５２を回転させることにより、搬送用ギアボックス５４における内部の不図示の複数の搬送ギアを介し、プラテンローラ４０を回転させることができる。また、可動刃用モータ５３を回転させることにより、可動刃用ギアボックス５５における内部の不図示の複数の可動刃用ギアを介し、可動刃６１をスライドして動かすことができる。
【００１７】
搬送用ギアボックス５４及び可動刃用ギアボックス５５は、亜鉛ダイキャストにより形成されており、搬送用ギアボックス５４及び可動刃用ギアボックス５５は、固定刃ユニット５０の各々の側面に設けられている。即ち、固定刃ユニット５０における一方の側面には、搬送用ギアボックス５４が設けられており、他方の側面には、可動刃用ギアボックス５５が設けられている。
【００１８】
（可動刃ユニット）
また、本実施の形態におけるプリンタ装置においては、蓋部２０の他方の端部２０ｂの近傍に、図６及び図７に示される可動刃ユニット６０が設置されている。この可動刃ユニット６０は可動刃６１を有している。尚、図６（ａ）は、可動刃ユニット６０の斜視図であり、図６（ｂ）は、側面図である。図７は、プラテンローラ４０が設置されており、ジンバルプレート７０が取り外されている状態における可動刃ユニット６０の斜視図である。
【００１９】
可動刃ユニット６０は、全体がステンレス等からなる金属板を折り曲げることにより形成された可動刃ユニット筐体部６２を有しており、可動刃ユニット筐体部６２の内部に可動刃６１が設置されている。可動刃ユニット６０には、蓋部２０に取り付けられる側に、ジンバルプレート７０が接続されており、ジンバルプレート７０と可動刃ユニット６０との間には、２つの巻きバネ８１が設置されている。本実施の形態においては、ジンバルプレート７０に設けられた２つの取り付け穴７１より不図示のネジを入れ、このネジにより、ジンバルプレート７０を蓋部２０にネジ留めすることにより、可動刃ユニット６０を蓋部２０に取り付けることができる。本実施の形態においては、不図示のネジにより取り付けるための取り付け穴７１は、巻きバネ８１の中央部分の空間に位置するように形成されている。
【００２０】
更に、図７に基づきより詳細に可動刃ユニット６０について説明する。ジンバルプレート７０は、ステンレス等からなる金属板を加工することにより形成されており、ジンバルプレート７０と可動刃ユニット６０との間には、２つの巻きバネ８１が設置されている。可動刃６１はラック６３に取り付けられており、固定刃ユニット５０における可動刃用モータ５３を回転させることにより、可動刃用ギアボックス５５における不図示の可動刃用ギアを介して、ラック６３とともに可動刃６１をスライドして動かすことができる。
【００２１】
図５に示される固定刃ユニット５０及び図６に示される可動刃ユニット６０は、蓋部２０を閉じることにより、図８に示すように接続され、固定刃５１と可動刃６１によりカッターが形成される。尚、図８（ａ）は、本実施の形態におけるプリンタ装置において、蓋部２０が閉じられている状態における固定刃ユニット５０と可動刃ユニット６０の斜視図であり、図８（ｂ）は、側面図である。
【００２２】
（蓋部）
次に、蓋部２０について図９及び図１０に基づき説明する。図９及び図１０は取り外された蓋部２０の斜視図であり、取り外された蓋部２０を異なる方向から見たものである。図９及び図１０に示されるように、蓋部２０の一方の端部２０ａには回転軸２０ｃが設けられている。蓋部２０は、図１１及び図１２に示されるように、プリンタ本体部１０に回転軸２０ｃにおいて回転可能な状態で接続されている。蓋部２０は全部または一部が樹脂材料、例えば、ＰＣ（polycarbonate）やＡＢＳ樹脂を含む材料により形成されている。尚、上述したプリンタ本体部１０も全部または一部が樹脂材料により形成されている。
【００２３】
本実施の形態におけるプリンタ装置においては、プリンタ本体部１０には、蓋部２０が勢いよく開いた場合における衝撃を吸収するため、ダンパーバネ２１が設けられている。ダンパーバネ２１は、図１３に示されるように、ねじりコイルバネの一種であって、コイルバネ部２１ａとコイルバネ部２１ａより一方の端部に直線状に延びる直線部２１ｂと他方の端部に形成されたフック部２１ｃとを有している。尚、図１３は、図１２における要部拡大図であり、ダンパーバネ２１に力が加わっていない状態を示している。フック部２１ｃはＵ字状に形成されており、フック部２１ｃのＵ字状の部分に、直線部２１ｂが入り込んでいる。ダンパーバネ２１は、この状態においては、一方の端部と他方の端部とが広がる方向に復元力が働いているが、直線部２１ｂがフック部２１ｃにより押さえられているため、広がることができない。ダンパーバネ２１は、プリンタ本体部１０におけるダンパーバネ設置部１３に、ダンパーバネ２１のコイルバネ部２１ａの中心が入り込んだ状態で設置されており、ダンパーバネ２１の他方の端部は、プリンタ本体部１０における第１の突起部１４と接している。また、ダンパーバネ２１の一方の端部に延びる直線部２１ｂは、第２の突起部１５と接するとともに、蓋部２０が開閉することによりスライドして移動するスライド部１６と接している。
【００２４】
次に、本実施の形態におけるプリンタ装置において蓋部２０を開く場合について説明する。最初に、図１４に示されるように、蓋部２０が閉じられている状態においては、図１３に示される状態と同様に、ダンパーバネ２１には力が加えられていない。従って、この状態より蓋部２０を開く際には、蓋部２０には、ダンパーバネ２１による復元力が加わることなく、自由に開くことができる。この蓋部２０を開くことにより、図１２に示されるように、蓋部２０が途中まで開いた状態となるが、この状態においても、ダンパーバネ２１には力が加えられていないため、蓋部２０は自由に開くことができる。
【００２５】
この後、更に蓋部２０を開くことにより、図１５及び図１６に示されるように、蓋部２０が完全に開いた状態となる。尚、図１６は、図１５における要部拡大図である。この状態においては、蓋部２０が回転軸２０ｃを中心に回転することにより、蓋部２０の一方の端部２０ａにより、プリンタ本体部１０に設けられているスライド部１６が押されて、プリンタ本体部１０の内部側にスライドして移動する。このようにスライド部１６がプリンタ本体部１０の内部側にスライドして移動することにより、スライド部１６により、ダンパーバネ２１の直線部２１ｂが押される。これにより、ダンパーバネ２１においてフック部２１ｃを押していた復元力は、スライド部１６に加わり、スライド部１６を押し返す方向に力が働く。蓋部２０には、このダンパーバネ２１による復元力が加わるため、蓋部２０が急激に開いた場合においても、その衝撃がダンパーバネ２１に吸収されるため、衝撃を和らげることができる。
【００２６】
（金属筐体部）
次に、本実施の形態におけるプリンタ装置を単体として使用する場合について説明する。この状態のプリンタ装置は、上述した図１から図４等に示されるプリンタ装置を金属筐体部により覆うことにより得ることができる。
【００２７】
図１７から図２０に基づき、この状態におけるプリンタ装置について説明する。この状態のプリンタ装置は、上述した図１から図４等に示されるプリンタ装置の底面に底面カバー２１１を取り付け、側面及び上面に背面カバー２１２を取り付け、蓋部２０を金属蓋部２２０と交換した構造のものである。本実施の形態におけるプリンタ装置においては、金属筐体部は、底面カバー２１１、背面カバー２１２、金属蓋部２２０により形成されている。尚、図１７及び図１８は、金属蓋部２２０が閉じている状態において、異なる方向から見た斜視図であり、図１９は、金属蓋部２２０が一部開いている状態の斜視図であり、図２０は、金属蓋部２２０が完全に開いている状態の斜視図である。図２０に示されるプリンタ本体部１０に設けられた開口部１０ａは、取り外された蓋部２０の回転軸２０ｃが入る部分である。
【００２８】
底面カバー２１１、背面カバー２１２、金属蓋部２２０は、ステンレス等からなる金属板を加工することにより形成されている。背面カバー２１２は、図１７及び図１９に示されるように、プリンタ本体部１０における記録紙ホルダー１１にネジ２１３等によりねじ留めすることによりプリンタ本体部１０に取り付けることができる。また、金属蓋部２２０は、図９及び図１０に示される蓋部２０をプリンタ本体部１０より取り外した後、背面カバー２１２に取り付けられている。具体的には、金属蓋部２２０は、一方の端部２２０ａにおいて、回転軸２２０ｃを中心に回転可能な状態で背面カバー２１２に接続されており、他方の端部２２０ｂの近傍には可動刃ユニット６０及びプラテンローラ４０が設置されている。尚、金属蓋部２２０に設置される可動刃ユニット６０及びプラテンローラ４０の位置は、蓋部２０と同様である。
【００２９】
尚、金属蓋部２２０は金属材料により形成されているため、樹脂材料により形成されているプリンタ本体部１０に金属蓋部２２０を直接接続した場合には、金属蓋部２２０により、プリンタ本体部１０との接続部分が破損等してしまう場合がある。しかしながら、本実施の形態においては、金属蓋部２２０は、同じ金属材料により形成されている背面カバー２１２に回転軸２２０ｃを中心に回転可能な状態で接続されている。よって、金属蓋部２２０の回転軸２２０ｃにおける接続部分において破損等が生じることはない。
【００３０】
次に、本実施の形態におけるプリンタ装置において、金属筐体部が取り付けられている場合における金属蓋部用ダンパーバネについて説明する。金属筐体部が取り付けられているプリンタ装置においては、蓋部２０を金属蓋部２２０と交換した場合には、図２１に示すような、金属蓋部２２０に作用する金属蓋部用ダンパーバネ２２１が設置される。尚、図２１は、図１７における状態における内部の要部拡大図であり、金属蓋部２２０が閉じられている状態における金属蓋部用ダンパーバネ２２１を示している。
【００３１】
この金属蓋部用ダンパーバネ２２１は、ねじりコイルバネであって、コイルバネ部２２１ａとコイルバネ部２２１ａの一方の端部の近傍に形成された第１の接続部２２１ｂと、他方の端部の近傍に形成された第２の接続部２２１ｃとを有している。金属蓋部用ダンパーバネ２２１における第１の接続部２２１ｂ及び第２の接続部２２１ｃは、一部を折り曲げることにより形成されていてもよい。金属蓋部用ダンパーバネ２２１における第１の接続部２２１ｂは、金属蓋部２２０に形成された第１のフック部２２０ｄに入り固定されている。また、第２の接続部２２１ｃは、背面カバー２１２に設けられた第２のフック部２１２ａに入り固定されている。
【００３２】
金属蓋部用ダンパーバネ２２１は、図１７及び図２１に示されるように、金属蓋部２２０が閉じている状態においては、バネによる復元力は働いていないが、図１９に示すように、金属蓋部２２０を開くことにより、復元力が徐々に強くなる。更に、金属蓋部２２０を開くことにより、図２２及び図２３に示す状態となり、金属蓋部用ダンパーバネ２２１の復元力が強くなり、金属蓋部２２０を勢いよく開いた場合においても、金属蓋部用ダンパーバネ２２１により、その衝撃を吸収することができる。尚、図２３は、図２２における要部拡大図である。
【００３３】
また、本実施の形態におけるプリンタ装置は、上述した図１から図４等に示されるプリンタ装置の底面に底面カバー２１１を取り付け、側面及び上面に背面カバー２１２を取り付け、蓋部２０を残した構造のものであってもよい。
【００３４】
以上、本発明の実施に係る形態について説明したが、上記内容は、発明の内容を限定するものではない。
【符号の説明】
【００３５】
１０        プリンタ本体部
１１        記録紙ホルダー
１２        制御基板
１３        ダンパーバネ設置部
１４        第１の突起部
１５        第２の突起部
１６        スライド部
２０        蓋部
２０ａ      一方の端部
２０ｂ      他方の端部
２０ｃ      回転軸
２１        ダンパーバネ
２１ａ      コイルバネ部
２１ｂ      直線部
２１ｃ      フック部
３０        サーマルヘッド
４０        プラテンローラ
５０        固定刃ユニット
５１        固定刃
５２        搬送用モータ
５３        可動刃用モータ
５４        搬送用ギアボックス
５５        可動刃用ギアボックス
６０        可動刃ユニット
６１        可動刃
６２        可動刃ユニット筐体部
６３        ラック
７０        ジンバルプレート
７１        取り付け穴
８１        巻きバネ
２１１      底面カバー
２１２      背面カバー
２１２ａ    第２のフック部
２２０      金属蓋部
２２０ａ    一方の端部
２２０ｂ    他方の端部
２２０ｃ    回転軸
２２０ｄ    第１のフック部
２２１      金属蓋部用ダンパーバネ
２２１ａ    コイルバネ部
２２１ｂ    第１の接続部
２２１ｃ    第２の接続部
【図１】
2015163451.tif 000003
【図２】
2015163451.tif 000004
【図３】
2015163451.tif 000005
【図４】
2015163451.tif 000006
【図５】
2015163451.tif 000007
【図６】
2015163451.tif 000008
【図７】
2015163451.tif 000009
【図８】
2015163451.tif 000010
【図９】
2015163451.tif 000011
【図１０】
2015163451.tif 000012
【図１１】
2015163451.tif 000013
【図１２】
2015163451.tif 000014
【図１３】
2015163451.tif 000015
【図１４】
2015163451.tif 000016
【図１５】
2015163451.tif 000017
【図１６】
2015163451.tif 000018
【図１７】
2015163451.tif 000019
【図１８】
2015163451.tif 000020
【図１９】
2015163451.tif 000021
【図２０】
2015163451.tif 000022
【図２１】
2015163451.tif 000023
【図２２】
2015163451.tif 000024
【図２３】
2015163451.tif 000025